(57)【特許請求の範囲】
【請求項１】
出荷拠点に対応する出荷端末から送信される、当該出荷拠点から入荷拠点に向けたパレットの出荷枚数を受信し、当該受信した出荷枚数を入出荷情報格納手段に格納する出荷枚数受信手段と、
前記入荷拠点に対応する入荷端末から送信される、当該入荷拠点に入荷されたパレットの入荷枚数を受信し、当該受信した入荷枚数を前記入出荷情報格納手段に格納する入荷枚数受信手段と、
前記入出荷情報格納手段に格納されている出荷枚数及び入荷枚数を照合する枚数照合手段と、
当該枚数照合手段の照合の結果、対応する出荷枚数及び入荷枚数がそれぞれ異なる場合には不一致情報を作成すると共に、当該作成した不一致情報を前記出荷端末及び前記入荷端末に送信する不一致情報作成手段と、
前記枚数照合手段の照合の結果、対応する出荷枚数及び入荷枚数が一致する場合には、照合済情報を作成して照合済情報格納手段に格納する照合済情報作成手段と、
を備えるパレット管理システム。
【請求項２】
前記不一致情報作成手段による前記不一致情報の送信の結果、前記出荷端末又は前記入荷端末から送信される修正情報を受信する修正情報受信手段と、
当該修正情報受信手段が受信した修正情報に基づいて、前記出荷枚数又は前記入荷枚数を修正し、照合済情報を作成する修正情報作成手段と、
を更に備える請求項１に記載のパレット管理システム。
【請求項３】
出荷枚数受信手段が、出荷拠点に対応する出荷端末から送信される、当該出荷拠点から入荷拠点に向けたパレットの出荷枚数を受信し、当該受信した出荷枚数を入出荷情報格納手段に格納する出荷枚数受信ステップと、
入荷枚数受信手段が、前記入荷拠点に対応する入荷端末から送信される、当該入荷拠点に入荷されたパレットの入荷枚数を受信し、当該受信した入荷枚数を前記入出荷情報格納手段に格納する入荷枚数受信ステップと、
枚数照合手段が、前記入出荷情報格納手段に格納されている出荷枚数及び入荷枚数を照合する枚数照合ステップと、
不一致情報作成手段が、当該枚数照合手段の照合の結果、対応する出荷枚数及び入荷枚数がそれぞれ異なる場合には不一致情報を作成すると共に、当該作成した不一致情報を前記出荷端末及び前記入荷端末に送信する不一致情報作成ステップと、
照合済情報作成手段が、前記枚数照合手段の照合の結果、対応する出荷枚数及び入荷枚数が一致する場合には、照合済情報を作成して照合済情報格納手段に格納する照合済情報作成ステップと、
を含むパレット管理方法。
【請求項４】
修正情報受信手段が、前記不一致情報作成ステップにおける前記不一致情報の送信の結果、前記出荷端末又は前記入荷端末から送信される修正情報を受信する修正情報受信ステップと、
修正情報作成手段が、当該修正情報受信手段が受信した修正情報に基づいて、前記出荷枚数又は前記入荷枚数を修正し、照合済情報を作成する修正情報作成ステップと、
を更に含む請求項３に記載のパレット管理方法。
【請求項５】
コンピュータを、
出荷拠点に対応する出荷端末から送信される、当該出荷拠点から入荷拠点に向けたパレットの出荷枚数を受信し、当該受信した出荷枚数を入出荷情報格納手段に格納する出荷枚数受信手段と、
前記入荷拠点に対応する入荷端末から送信される、当該入荷拠点に入荷されたパレットの入荷枚数を受信し、当該受信した入荷枚数を前記入出荷情報格納手段に格納する入荷枚数受信手段と、
前記入出荷情報格納手段に格納されている出荷枚数及び入荷枚数を照合する枚数照合手段と、
当該枚数照合手段の照合の結果、対応する出荷枚数及び入荷枚数がそれぞれ異なる場合には不一致情報を作成すると共に、当該作成した不一致情報を前記出荷端末及び前記入荷端末に送信する不一致情報作成手段と、
前記枚数照合手段の照合の結果、対応する出荷枚数及び入荷枚数が一致する場合には、照合済情報を作成して照合済情報格納手段に格納する照合済情報作成手段と、
して機能させるためのパレット管理プログラム。
【請求項６】
コンピュータを、
前記不一致情報作成手段による前記不一致情報の送信の結果、前記出荷端末又は前記入荷端末から送信される修正情報を受信する修正情報受信手段と、
当該修正情報受信手段が受信した修正情報に基づいて、前記出荷枚数又は前記入荷枚数を修正し、照合済情報を作成する修正情報作成手段と、
して更に機能させるための請求項５に記載のパレット管理プログラム。
【請求項７】
請求項５又は６に記載のパレット管理プログラムが記録されたことを特徴とするコンピュータ読取可能な記録媒体。
【発明の詳細な説明】
【０００１】
【発明の属する技術分野】
本発明は、パレット管理システム、パレット管理方法、パレット管理プログラム、及び、コンピュータ読取可能な記録媒体に関するものである。
【０００２】
【従来の技術】
輸送の効率化のために、輸送対象物品をまとめて搬送するためのパレットが用いられている。このような輸送用のパレットの使用形態として、一の会社の出荷拠点からパレットに輸送対象物品を載せて出発し、その会社の入荷拠点で輸送対象物品を降ろした後にそのパレットを他の会社が使用するといった、いわゆるパレットのレンタルシステムがある。このように異なる会社間でパレットの共同使用をすると、各会社はパレットを保管しておくためのスペースが不要となり効率的である。
【０００３】
【発明が解決しようとする課題】
しかしながら、パレットを使用する会社にとっては、パレットはあくまでも輸送のための手段であり、自社の商品ではないために、パレットが出荷拠点を出発した枚数や入荷拠点に運び込まれた枚数といったパレットの動きまでは管理しない場合がある。従って、出荷拠点を出発したパレットの枚数として把握しているものと、入荷拠点に入荷されたパレットの枚数として把握しているものとの間に乖離が生じる場合がある。
【０００４】
そこで本発明では、各拠点におけるパレットの枚数を的確に把握することが可能な、パレット管理システム、パレット管理方法、パレット管理プログラム、及び、コンピュータ読取可能な記録媒体を提供することを課題とする。
【０００５】
【課題を解決するための手段】
本発明のパレット管理システムは、出荷拠点に対応する出荷端末から送信される、当該出荷拠点から入荷拠点に向けたパレットの出荷枚数を受信し、当該受信した出荷枚数を入出荷情報格納手段に格納する出荷枚数受信手段と、入荷拠点に対応する入荷端末から送信される、当該入荷拠点に入荷されたパレットの入荷枚数を受信し、当該受信した入荷枚数を入出荷情報格納手段に格納する入荷枚数受信手段と、入出荷情報格納手段に格納されている出荷枚数及び入荷枚数を照合する枚数照合手段と、当該枚数照合手段の照合の結果、対応する出荷枚数及び入荷枚数がそれぞれ異なる場合には不一致情報を作成すると共に、当該作成した不一致情報を出荷端末及び入荷端末に送信する不一致情報作成手段と、枚数照合手段の照合の結果、対応する出荷枚数及び入荷枚数が一致する場合には、照合済情報を作成して照合済情報格納手段に格納する照合済情報作成手段と、を備える。
【０００６】
本発明のパレット管理方法は、出荷枚数受信手段が、出荷拠点に対応する出荷端末から送信される、当該出荷拠点から入荷拠点に向けたパレットの出荷枚数を受信し、当該受信した出荷枚数を入出荷情報格納手段に格納する出荷枚数受信ステップと、入荷枚数受信手段が、入荷拠点に対応する入荷端末から送信される、当該入荷拠点に入荷されたパレットの入荷枚数を受信し、当該受信した入荷枚数を入出荷情報格納手段に格納する入荷枚数受信ステップと、枚数照合手段が、入出荷情報格納手段に格納されている出荷枚数及び入荷枚数を照合する枚数照合ステップと、不一致情報作成手段が、当該枚数照合手段の照合の結果、対応する出荷枚数及び入荷枚数がそれぞれ異なる場合には不一致情報を作成すると共に、当該作成した不一致情報を出荷端末及び入荷端末に送信する不一致情報作成ステップと、照合済情報作成手段が、枚数照合手段の照合の結果、対応する出荷枚数及び入荷枚数が一致する場合には、照合済情報を作成して照合済情報格納手段に格納する照合済情報作成ステップと、を含む。
【０００７】
本発明のパレット管理プログラムは、コンピュータを、出荷拠点に対応する出荷端末から送信される、当該出荷拠点から入荷拠点に向けたパレットの出荷枚数を受信し、当該受信した出荷枚数を入出荷情報格納手段に格納する出荷枚数受信手段と、入荷拠点に対応する入荷端末から送信される、当該入荷拠点に入荷されたパレットの入荷枚数を受信し、当該受信した入荷枚数を入出荷情報格納手段に格納する入荷枚数受信手段と、入出荷情報格納手段に格納されている出荷枚数及び入荷枚数を照合する枚数照合手段と、当該枚数照合手段の照合の結果、対応する出荷枚数及び入荷枚数がそれぞれ異なる場合には不一致情報を作成すると共に、当該作成した不一致情報を出荷端末及び入荷端末に送信する不一致情報作成手段と、枚数照合手段の照合の結果、対応する出荷枚数及び入荷枚数が一致する場合には、照合済情報を作成して照合済情報格納手段に格納する照合済情報作成手段と、して機能させる。
【０００８】
本発明のパレット管理システム及びパレット管理方法によれば、出荷端末からはパレットの出荷枚数を、入荷端末からはパレットの入荷枚数を受信するので、パレットの出荷枚数と入荷枚数とを把握できる。枚数照合手段が、その受信した出荷枚数及び入荷枚数を照合するので、パレットの出荷枚数と入荷枚数との乖離を把握できる。パレットの出荷枚数と入荷枚数とが乖離する場合に、不一致情報作成手段が出荷端末及び入荷端末に不一致情報を送信するので、出荷端末及び入荷端末側で出荷枚数と入荷枚数とが乖離していることを把握できる。一方、パレットの出荷枚数と入荷枚数とが一致する場合には照合済み情報を作成するので、出荷枚数と入荷枚数との乖離が発生していないデータを把握できる。また、コンピュータを用いて本発明のパレット管理プログラムを実行しても同様の作用を奏する。
【０００９】
また本発明のパレット管理システムでは、不一致情報作成手段による不一致情報の送信の結果、出荷端末又は入荷端末から送信される修正情報を受信する修正情報受信手段と、当該修正情報受信手段が受信した修正情報に基づいて、出荷枚数又は入荷枚数を修正し、照合済情報を作成する修正情報作成手段と、を更に備えるようにしてもよい。不一致情報を受信した出荷端末又は入荷端末から送信される修正情報に基づいて、パレットの出荷枚数又は入荷枚数を修正して照合済情報を作成するので、出荷枚数と入荷枚数との乖離を解消できる。
【００１０】
また本発明のパレット管理方法では、修正情報受信手段が、不一致情報作成ステップにおける不一致情報の送信の結果、出荷端末又は入荷端末から送信される修正情報を受信する修正情報受信ステップと、修正情報作成手段が、当該修正情報受信手段が受信した修正情報に基づいて、出荷枚数又は入荷枚数を修正し、照合済情報を作成する修正情報作成ステップと、を更に含むようにしてもよい。不一致情報を受信した出荷端末又は入荷端末から送信される修正情報に基づいて、パレットの出荷枚数又は入荷枚数を修正して照合済情報を作成するので、出荷枚数と入荷枚数との乖離を解消できる。
【００１１】
また本発明のパレット管理プログラムは、コンピュータを、不一致情報作成手段による不一致情報の送信の結果、出荷端末又は入荷端末から送信される修正情報を受信する修正情報受信手段と、当該修正情報受信手段が受信した修正情報に基づいて、出荷枚数又は入荷枚数を修正し、照合済情報を作成する修正情報作成手段と、して更に機能させるようにしてもよい。不一致情報を受信した出荷端末又は入荷端末から送信される修正情報に基づいて、パレットの出荷枚数又は入荷枚数を修正して照合済情報を作成するので、出荷枚数と入荷枚数との乖離を解消できる。
【００１２】
また、本発明のコンピュータ読取可能な記録媒体には、このパレット管理プログラムが記録されている。コンピュータを用いて、本発明の記録媒体に記録されたパレット管理プログラムを実行すると、出荷端末からはパレットの出荷枚数を、入荷端末からはパレットの入荷枚数を受信するので、パレットの出荷枚数と入荷枚数とを把握できる。枚数照合手段が、その受信した出荷枚数及び入荷枚数を照合するので、パレットの出荷枚数と入荷枚数との乖離を把握できる。パレットの出荷枚数と入荷枚数とが乖離する場合に、不一致情報作成手段が出荷端末及び入荷端末に不一致情報を送信するので、出荷端末及び入荷端末側で出荷枚数と入荷枚数とが乖離していることを把握できる。一方、パレットの出荷枚数と入荷枚数とが一致する場合には照合済み情報を作成するので、出荷枚数と入荷枚数との乖離が発生していないデータを把握できる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態であるパレット管理システム１０について図１を用いて説明する。図１はパレット管理システム１０の構成を説明するための図である。パレット管理システム１０は、出荷拠点に設置されている出荷端末２０及び入荷拠点に設置されている入荷端末３０とインターネット４０を介して情報の送受信が可能なように構成されている。
【００１５】
出荷端末２０及び入荷端末３０は、物理的には、ＣＰＵ（中央処理装置）、タッチパネルやキーボードやカードリーダといった入力装置、ディスプレイといった表示装置、ハードディスクといった格納装置、モデムといった通信装置などを備えたコンピュータシステムとして構成されている。出荷端末２０は、出荷拠点において出荷されたパレットの枚数といった情報を入力してパレット管理システム１０に送信する端末であり、入荷端末３０は、入荷拠点において入荷されたパレットの枚数といった情報を入力してパレット管理システム１０に送信する端末である。また、出荷端末２０及び入荷端末３０は、パレット管理システム１０から送信される情報を受信して表示できる端末でもある。
【００１６】
パレット管理システム１０は、物理的には、ＣＰＵ（中央処理装置）、タッチパネルやキーボードやカードリーダといった入力装置、ディスプレイといった表示装置、ハードディスクといった格納装置、モデムといった通信装置などを備え、インターネット４０を介して情報の送受信を行うコンピュータシステムとして構成されている。
【００１７】
パレット管理システム１０は機能的な構成要素として、出荷枚数受信部（出荷枚数受信手段）１０１と、入荷枚数受信部（入荷枚数受信手段）１０２と、枚数照合部（枚数照合手段）１０３と、不一致情報作成部（不一致情報作成手段）１０４と、照合済情報作成部（照合済情報作成手段）１０５と、修正情報受信部（修正情報受信手段）１０６と、修正情報作成部（修正情報作成手段）１０７と、照合済情報提供部１０８と、入出荷情報格納部（入出荷情報格納手段）１０９と、照合済情報格納部（照合済情報格納手段）１１０と、を含む。引き続いて、各構成要素について詳細に説明する。
【００１８】
出荷枚数受信部１０１は、出荷端末２０から送信されるパレットの出荷枚数を受信する部分である。出荷端末２０から送信される出荷枚数には伝票番号やパレットの種類といった情報が付加されていてもよい。出荷枚数受信部１０１は、受信した出荷枚数といった情報を入出荷情報格納部１０９に格納する。
【００１９】
入荷枚数受信部１０２は、入荷端末３０から送信されるパレットの入荷枚数を受信する部分である。入荷端末３０から送信される入荷枚数には伝票番号やパレットの種類といった情報が付加されていてもよい。入荷枚数受信部１０２は、受信した入荷枚数といった情報を入出荷情報格納部１０９に格納する。
【００２０】
入出荷情報格納部１０９に格納される情報の例について図２を用いて説明する。図２（ａ）は、出荷枚数受信部１０１が受信し格納した情報の例を示し、図２（ｂ）は、入荷枚数受信部１０２が受信し格納した情報の例を示す。この例によれば、伝票番号「Ａ００１」に対応する出荷枚数は「２０枚」であり、同じく伝票番号「Ａ００１」に対応する入荷枚数は「１８枚」である。このように乖離が生じるのは、例えば、出荷端末２０側での入力間違いや、実際に運搬されたパレットが他の拠点に運ばれてしまったといった場合である。また、伝票番号「Ｂ００２」に対応する出荷枚数は３０枚であるが、同じく伝票番号「Ｂ００２」の入荷枚数はまだ登録されていない。これは、伝票番号「Ｂ００２」に対応するパレットが輸送途中であることを示している。
【００２１】
図１に戻って、枚数照合部１０３は、入出荷情報格納部１０９に格納されている出荷枚数及び入荷枚数を照合する部分である。より具体的には、伝票番号をキーとして入出荷情報格納部１０９に格納されている出荷枚数と入荷枚数とを抽出し、それらが合致するかどうかを判断する。枚数照合部１０３は、対応する出荷枚数と入荷枚数とが合致する場合には、関連する情報を含めて照合済情報作成部１０５に出力する。また、枚数照合部１０３は、対応する出荷枚数と入荷枚数とが合致しない場合には、関連する情報を含めて不一致情報作成部１０４に出力する。
【００２２】
不一致情報作成部１０４は、対応する出荷枚数と入荷枚数とが異なる場合に不一致情報を作成し、この作成した不一致情報を出荷端末２０及び入荷端末３０に送信する部分である。不一致情報としては、伝票番号と出荷枚数及び入荷枚数と何らかのアクションを促すメッセージといった情報が含まれる。不一致情報作成部１０４が不一致情報を作成し、出荷端末２０及び入荷端末３０に送信するタイミングとしては、枚数照合部１０３からの出力に応じて適宜行ってもよく、出荷端末２０又は入荷端末３０からの指示に基づいてもよい。
【００２３】
照合済情報作成部１０５は、対応する出荷枚数と入荷枚数とが一致する場合に照合済情報を作成し、この作成した照合済情報を照合済情報格納部１１０に格納する部分である。より具体的には、入出荷情報格納部１０９に格納されている、同じ伝票番号の出荷枚数と入荷枚数とが一致する場合に、その伝票番号と出荷枚数（入荷枚数）とを関連付けて照合済情報として照合済情報格納部１１０に格納する。
【００２４】
修正情報受信部１０６は、不一致情報作成部１０４による不一致情報の送信の結果、出荷端末２０又は入荷端末３０から送信される修正情報を受信し、修正情報作成部１０７に出力する部分である。修正情報とは、伝票番号と修正された出荷枚数（又は入荷枚数）とを含む情報である。図２の例を用いれば、出荷端末２０に「伝票番号Ａ００１の出荷枚数は２０枚だが、入荷枚数は１８枚になっているので修正が必要。」という旨の不一致情報が送信され、入荷端末３０には「伝票番号Ａ００１の入荷枚数は１８枚だが、出荷枚数は２０枚になっているので修正が必要。」という旨の不一致情報がそれぞれ送信された場合に、出荷側と入荷側とで確認作業を行って、例えば出荷側の枚数計測が間違っていた場合には、出荷端末２０から「伝票番号Ａ００１の出荷枚数を１８枚に修正する。」という旨の修正情報が送信される。
【００２５】
修正情報作成部１０７は、修正情報受信部１０６が受信した修正情報に基づいて、出荷枚数又は入荷枚数を修正し、照合済情報を作成して照合済情報格納部１１０に格納する部分である。受信した修正情報が「伝票番号Ａ００１の出荷枚数を１８枚に修正する。」という旨の修正情報であれば、入出荷情報格納部１０９に格納されている伝票番号Ａ００１に対応する入荷枚数と一致しているかどうかを確認し、一致していれば照合済情報として照合済情報格納部１１０に格納する。
【００２６】
照合済情報格納部１１０には、例えば図３に示すような情報が格納されている。前段の例のように照合済情報が生成されると、伝票番号「Ａ００１」と関連付けて照合済枚数「１８枚」が格納されることとなる。
【００２７】
照合済情報提供部１０８は、出荷端末２０又は出荷端末３０からの要求に応じて、照合済情報格納部１１０に格納されている照合済情報を送信して提供する部分である。照合済情報提供部１０８は、図示しない他の端末からの要求に応じて照合済情報を提供するようにしてもよい。
【００２８】
引き続いて、パレット管理システム１０を用いてパレットの管理を行う方法について図４に示すシーケンス図を用いて説明する。
【００２９】
出荷端末２０にパレットの出荷枚数が入力されると（Ｓ００１）、パレット管理システム１０にそのパレットの出荷枚数が伝票番号と共に送信される（Ｓ００２）。送信されたパレットの出荷枚数と伝票番号とは、パレット管理システム１０の出荷枚数受信部１０１が受信し、入出荷情報格納部１０９に格納する（Ｓ００３）。
【００３０】
出荷拠点から実際にパレットに荷物が積載されて入荷拠点に運び込まれた後、入荷端末３０にはパレットの入荷枚数が入力され（Ｓ００４）、パレット管理システム１０のそのパレットの入荷枚数が伝票番号と共に送信される（Ｓ００５）。送信されたパレットの入荷枚数と伝票番号とは、パレット管理システム１０の入荷枚数受信部１０２が受信し、入出荷情報格納部１０９に格納する（Ｓ００６）。
【００３１】
パレット管理システム１０の枚数照合部１０３は、入出荷情報格納部１０９に格納されている出荷枚数と入荷枚数とを照合する（Ｓ００７）。この照合の結果、対応する出荷枚数と入荷枚数とが異なる場合には、不一致情報作成部１０４は不一致情報を作成し（Ｓ００８）、出荷端末２０及び出荷端末３０にそれぞれ送信する（Ｓ００９、Ｓ０１０）。
【００３２】
不一致情報を受信した出荷拠点と入荷拠点とは、例えば互いに協議するなどして出荷枚数又は入荷枚数を修正する。出荷枚数のほうを修正した場合には、出荷端末２０にパレットの出荷枚数を修正して入力する（Ｓ０１１）。出荷端末２０に修正した出荷枚数が入力されると、パレット管理システム１０に送信される（Ｓ０１２）。一方、入荷枚数のほうを修正した場合には、入荷端末２０にパレットの入荷枚数を修正して入力する（Ｓ０１３）。入荷枚数３０に修正した入荷枚数が入力されると、パレット管理システム１０に送信される（Ｓ０１４）。
【００３３】
送信された修正情報は、パレット管理システム１０の修正情報受信部１０６が受信して修正情報作成部１０７に出力する。修正情報作成部１０７は、その出力に応じて照合済情報を作成して照合済情報格納部１１０に格納する（Ｓ０１５）。尚、Ｓ００７において、対応する出荷枚数と入荷枚数とが一致する場合には、照合済情報作成部１０５が照合済情報を作成して照合済情報格納部１１０に格納する。
【００３４】
次にコンピュータを、本実施形態のパレット管理システム１０として機能させるためのパレット管理プログラム９２及びそれが記録されているコンピュータ読取可能な記録媒体９について説明する。図５は、パレット管理プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３５】
記録媒体９は、図５に示すように、プログラムを記録するプログラム領域９１と、データを記録するデータ領域９３とを備えている。データ領域９３には、図１を用いて説明した入出荷情報格納部１０９と同様の入出荷情報データベース９３１、及び、照合済情報格納部１１０と同様の照合済情報データベース９３２がが格納されている。
【００３６】
プログラム領域９１には、パレット管理プログラム９２が記録されている。パレット管理プログラム９２は、処理を統括するメインモジュール９２１と、出荷枚数受信モジュール９２２と、入荷枚数受信モジュール９２３と、枚数照合モジュール９２４と、不一致情報作成モジュール９２５と、照合済情報作成モジュール９２６と、修正情報受信モジュール９２７と、修正情報作成モジュール９２８と、照合済情報提供モジュール９２９とを備える。ここで、出荷枚数受信モジュール９２２、入荷枚数受信モジュール９２３、枚数照合モジュール９２４、不一致情報作成モジュール９２５、照合済情報作成モジュール９２６、修正情報受信モジュール９２７、修正情報作成モジュール９２８、照合済情報提供モジュール９２９のそれぞれを動作させることによって実現する機能は、上記パレット管理システム１０の出荷枚数受信部１０１、入荷枚数受信部１０２、枚数照合部１０３、不一致情報作成部１０４、照合済情報作成部１０５、修正情報受信部１０６、修正情報作成部１０７、照合済情報提供部１０８のそれぞれの機能と同様である。
【００３７】
本実施形態の作用及び効果について説明する。出荷端末２０からはパレットの出荷枚数を、入荷端末３０からはパレットの入荷枚数を受信するので、パレットの出荷枚数と入荷枚数とを把握できる。枚数照合部１０３が、その受信した出荷枚数及び入荷枚数を照合するので、パレットの出荷枚数と入荷枚数との乖離を把握できる。パレットの出荷枚数と入荷枚数とが乖離する場合に、不一致情報作成部１０４が出荷端末２０及び入荷端末３０に不一致情報を送信するので、出荷端末２０及び入荷端末３０側で出荷枚数と入荷枚数とが乖離していることを把握できる。一方、パレットの出荷枚数と入荷枚数とが一致する場合には照合済み情報を作成するので、出荷枚数と入荷枚数との乖離が発生していないデータを把握できる。
【００３８】
【発明の効果】
本発明によれば、出荷端末からはパレットの出荷枚数を、入荷端末からはパレットの入荷枚数を受信するので、パレットの出荷枚数と入荷枚数とを把握できる。枚数照合手段が、その受信した出荷枚数及び入荷枚数を照合するので、パレットの出荷枚数と入荷枚数との乖離を把握できる。パレットの出荷枚数と入荷枚数とが乖離する場合に、不一致情報作成手段が出荷端末及び入荷端末に不一致情報を送信するので、出荷端末及び入荷端末側で出荷枚数と入荷枚数とが乖離していることを把握できる。一方、パレットの出荷枚数と入荷枚数とが一致する場合には照合済み情報を作成するので、出荷枚数と入荷枚数との乖離が発生していないデータを把握できる。従って本発明の目的とする、各拠点におけるパレットの枚数を的確に把握することが可能な、パレット管理システム、パレット管理方法、パレット管理プログラム、及び、コンピュータ読取可能な記録媒体を提供することができた。
【図面の簡単な説明】
【図１】本発明の実施形態であるパレット管理システムを説明するための図である。
【図２】図１の入出荷情報格納部に格納される情報の例を示した図である。
【図３】図１の照合済情報格納部に格納される情報の例を示した図である。
【図４】本発明の実施形態であるパレット管理システムを用いて管理するシーケンスを示した図である。
【図５】本発明の実施形態であるパレット管理プログラムを説明するための図である。
【符号の説明】
１０…パレット管理システム、２０…出荷端末、３０…入荷端末、４０…インターネット、１０１…出荷枚数受信部、１０２…入荷枚数受信部、１０３…枚数照合部、１０４…不一致情報作成部、１０５…照合済情報作成部、１０６…修正情報受信部、１０７…修正情報作成部、１０８…照合済情報提供部、１０９…入出荷情報格納部、１１０…照合済情報格納部。
【図１】
0003878865.tif 000002
【図２】
0003878865.tif 000003
【図３】
0003878865.tif 000004
【図４】
0003878865.tif 000005
【図５】
0003878865.tif 000006